(57)【要約】  方法および装置は、複数の異なる血糖測定器などの、複数の異なる測定器タイプ向けの患者データダウンロードを実施する。複数の異なる測定器タイプのそれぞれの測定器に接続するようにそれぞれが適合された、複数のシリアルポートが提供される。情報が表示され、ユーザ選択が識別される。特定の測定器タイプを識別するユーザエントリに応答して、その測定器接続のための接続ポート／ケーブル番号が、ユーザによって見られるように表示される。その特定の測定器タイプに関する事前定義された指示が、表示される。データ収集コンピュータシステムが、プロセッサデバイスと、プリンタと、ディスプレイタッチスクリーンとを含む単体の筐体を含む一体型ユニットとして提供される。測定器接続が識別されると、情報が、表示され、患者データが、測定器からダウンロードされて、ダウンロードされた患者データから生成された、選択されたレポートとともに、選択されたフォーマットで印刷される。
2007537793.tif 000002
【特許請求の範囲】
【請求項１】
データ収集コンピュータシステムを使用してデータ管理を実施するための方法であって、
複数の異なる測定器タイプのそれぞれの測定器に接続するようにそれぞれが適合された、複数のシリアルポートを提供する動作と、
情報を表示し、ユーザ選択を識別する動作と、
特定の測定器タイプを識別するユーザエントリに応答して、測定器接続のための接続ポート／ケーブル番号を、ユーザによって見られるように表示する動作と、
前記特定の測定器タイプに関する事前定義された指示を表示する動作とを含む方法。
【請求項２】
複数のシリアルポートを提供する動作は、前記複数のシリアルポートのそれぞれに、関連するコネクタが接続された、それぞれのケーブルを提供する動作を含み、前記関連するコネクタは、前記複数の異なる測定器タイプのそれぞれの測定器に接続するように構成される請求項１に記載のデータ管理を実施するための方法。
【請求項３】
前記複数のシリアルポートに結合されたプロセッサデバイスと、前記プロセッサデバイスに結合されたプリンタおよびディスプレイタッチスクリーンとを含む単体の筐体を提供する動作をさらに含む請求項１に記載のデータ管理を実施するための方法。
【請求項４】
関連するコネクタを有するそれぞれのケーブルをそれぞれが受ける、前記単体の筐体内の複数の筐体ポートを提供する動作をさらに含み、前記各ケーブルは、前記複数のシリアルポートのそれぞれのポートに結合され、前記関連するコネクタは、前記複数の異なる測定器タイプのそれぞれの測定器に接続するように構成される請求項３に記載のデータ管理を実施するための方法。
【請求項５】
接続された測定器を検出し、前記接続された測定器から患者データをダウンロードして、前記ダウンロードされた患者データの選択された１つまたは複数、および前記患者データから生成された、選択されたレポートを印刷する動作をさらに含む請求項１に記載のデータ管理を実施するための方法。
【請求項６】
前記ダウンロードされた患者データを処理し、インテリジェント糖尿病データ解釈（ＩＤＤＩ）レポートを生成する動作をさらに含む請求項５に記載のデータ管理を実施するための方法。
【請求項７】
選択された情報を、前記選択された情報を要求するユーザエントリに応答して表示する動作をさらに含む請求項１に記載のデータ管理を実施するための方法。
【請求項８】
接続される測定器のタイプを入力するよう、ユーザにプロンプトを表示する動作をさらに含む請求項１に記載のデータ管理を実施するための方法。
【請求項９】
プロセッサデバイスと、
複数の異なる測定器タイプのそれぞれの測定器に接続するようにそれぞれが適合された、前記プロセッサデバイスに結合された複数のシリアルポートと、
情報を表示するため、およびユーザ選択を識別するための、前記プロセッサデバイスに結合されたディスプレイタッチスクリーンとを含むデータ管理を実施するための装置であって、
前記プロセッサデバイスは、特定の測定器タイプを識別するユーザエントリに応答して、測定器接続のための接続ポート／ケーブル番号を、ユーザによって見られるように表示し、および前記特定の測定器タイプに関する事前定義された指示を表示する装置。
【請求項１０】
前記プロセッサデバイスと、前記ディスプレイタッチスクリーンとを含む単体の筐体をさらに含む請求項９に記載のデータ管理を実施するための装置。
【請求項１１】
前記プロセッサデバイスに結合され、接続された測定器からのダウンロードされた患者データを印刷するための、前記単体の筐体内に収容されたプリンタをさらに含む請求項１０に記載のデータ管理を実施するための装置。
【請求項１２】
前記プロセッサデバイスに結合され、前記患者データから、選択されたレポートを生成し、印刷するための測定器通信制御―インテリジェント糖尿病データ解釈（ＩＤＤＩ）システムプログラムを格納するように適合されたメモリをさらに含む請求項１１に記載のデータ管理を実施するための装置。
【請求項１３】
前記プロセッサデバイスおよび前記プリンタに結合され、前記単体の筐体内に収容された無停電電源装置をさらに含む請求項１１に記載のデータ管理を実施するための装置。
【請求項１４】
関連するコネクタを有するそれぞれのケーブルをそれぞれが受ける、前記単体の筐体内部に備えられた複数の筐体ポートをさらに含み、前記各ケーブルは、前記複数のシリアルポートのそれぞれのポートに結合され、前記関連するコネクタは、前記複数の異なる測定器タイプのそれぞれの測定器に接続するように構成される請求項１１に記載のデータ管理を実施するための装置。
【請求項１５】
接続された測定器を前記プロセッサデバイスに結合するためのＵＳＢ−シリアルハブまたは複数シリアルポートアダプタのいずれかをさらに含む請求項１４に記載のデータ管理を実施するための装置。
【請求項１６】
前記プロセッサデバイスは、ユーザエントリに応答して、それぞれの特定の測定器タイプに関する事前定義された情報を表示するようにプログラミングされた請求項９に記載のデータ管理を実施するための装置。
【請求項１７】
前記プロセッサデバイスは、事前定義された教育的情報を、患者によって見られるように表示するようにプログラミングされた請求項９に記載のデータ管理を実施するための装置。
【請求項１８】
関連するコネクタを有するそれぞれのケーブルをそれぞれが受ける、前記単体の筐体内部に備えられた複数の筐体ポートをさらに含み、前記各ケーブルは、前記複数のシリアルポートのそれぞれのポートによって前記プロセッサデバイスに結合された請求項１１に記載のデータ管理を実施するための装置。
【請求項１９】
前記関連するコネクタは、前記複数の異なる測定器タイプのそれぞれの測定器に接続するように構成される請求項１８に記載のデータ管理を実施するための装置。
【請求項２０】
前記単体の筐体は、前記各ケーブルを受けるように適合された、前記複数の筐体ポートの各ポートに接続されたチャネルを含み、前記関連するコネクタは、前記単体の筐体を開けることなしに、それぞれの測定器に接続するように構成される請求項１８に記載のデータ管理を実施するための装置。
【発明の詳細な説明】
【技術分野】
【０００１】
本発明は、一般に、血糖測定器に関し、より詳細には、複数の異なるタイプの血糖測定器などの、複数の異なる測定器タイプ向けに患者データダウンロードを実施するための方法および装置に関する。
【背景技術】
【０００２】
体液中の検体の定量は、一部の生理学的異常の診断および保全のために非常に重要である。例えば、乳酸塩、コレステロール、およびビリルビンが、一部の個人において監視されなければならない。特に、体液中のグルコースの定量は、食餌中のグルコース摂取量を調整する手段として、体液中のグルコースのレベルを頻繁に調べなければならない糖尿病の個人には、非常に重要である。本明細書の開示は以降、グルコースの定量を対象とするが、本発明の手続きおよび装置は、他の診断システムでも使用されることが可能であるものと理解されたい。
【０００３】
糖尿病患者による自宅血糖監視が、今日の糖尿病管理においてますます定常化している。過去には、患者は、血糖測定値、およびその他の関係のある情報を手作業で記録するために、手書きの紙の記録簿を管理することを要求されていた。より具体的には、患者は、自身の血糖をスケジュールされた時刻に測定し、その情報を個人用記録簿の中に記録した。
【０００４】
血糖システムなどの既知の診断システムは、測定された出力、および試験を実行するのに使用された反応物検出要素の既知の反応性に基づき、実際の血糖値を計算するのに使用されるバイオセンサを含む。試験結果は、通常、ユーザに表示され、血糖測定器内のメモリの中に格納される。一部の既知のシステムでは、血糖測定器からの複数の格納済みの値が、例えば、血糖モニタユーザのための医師による分析を可能にするために、別個のコンピュータに定期的に転送される。
【０００５】
様々なメモリ機能を有する血糖測定器の導入が、データ記録プロセスを大幅に簡略化し、格納されたデータの信頼性を高めているが、記録されたデータが大量であることが、解釈の作業を複雑なものにしている。また、今日のデバイスでは、患者が、食餌要因および運動要因、および生活習慣情報などの、臨床的に関係のある他のデータを記録することも可能である。すべてのそのような格納されたデータは、通常、直接測定器ケーブル接続または音響モデムラインなどの通信リンクを介して、医師のオフィスに都合よく転送されることが可能であり、オフィスにおいて、データは、適切な治療勧告を行うために、印刷された形態、または表示された形態で精査されることが可能である。
【０００６】
糖尿病データの自動化された分析の多くの従来のアプローチは、いくつかの事前定義された統計計算に基づき、比較的表面的な分析、および各種のグラフ表示をもたらす。しかし、処理されたデータに関連する臨床的含意の時間がかかり、複雑な総合および解釈は、依然、精査する医師によって実行される必要があり、その医師のために相当な対話が、依然、要求される。
【０００７】
１９９３年１０月５日にカーン他に発行され、本譲受人に譲渡された米国特許第５，２５１，１２６号が、患者の自己記録糖尿病データにおける重要な臨床的知見を明らかにし、強調するために、記号計算アプローチと数値計算アプローチを組み合わせる、「ＩＤＤＩ」システムと呼ばれる、自動化された糖尿病データ解釈方法を開示する。血糖測定器などを使用して、ある期間にわたって糖尿病患者によって記録された、血糖レベルおよびインスリン投与レベルを含む患者データが、パーソナルコンピュータなどの中央処理システムに最初にダウンロードされる。受け入れられた糖尿病データは、処理されて、（ａ）全体的データ収集期間の少なくとも事前定義された区分にわたって持続したことが見られたインスリン投与量の事前定義された有意な変化に対応するインスリン投与計画が識別され、（ｂ）識別された複数のインスリン投与計画期間の隣り合わせの期間にわたってもたらされた血糖レベルの統計的に有意な変化が識別され、かつ（ｃ）識別された統計的に有意な血糖レベルの変化の中から、血糖レベルの臨床的に有意な変化が識別される。糖尿病データ処理の結果は、識別されたインスリン投与計画、および関連する、血糖レベルの臨床的に有意な変化に関係する詳細を含め、処理結果を強調する、包括的であるが、それでも容易に理解可能なデータ解釈レポートの形態で生成される。
【０００８】
複数の市販の臨床分析器が、患者が使用するために入手可能である。様々な市販の臨床分析器の間の違いのため、医療専門家（ＨＣＰ）は、実行すべき適合するソフトウェアを有さなければならないか、あるいは患者が、同一の、もしくは同様のプログラムを自宅に有さない場合、ＨＣＰのオフィスに居るように患者に要求する可能性がある。ＨＣＰは、プログラムを実行し、測定器に合うようにケーブルを切り換え、ハードウェアとソフトウェアをともに保守しなければならない。そのような雑用は、時間がかかり、非効率である傾向がある。
【０００９】
現在、血糖測定器から格納済みの患者データをダウンロードするのに利用できる多くのソフトウェアアプリケーションが存在する。ほとんどは、１つのケーブルを使用する１つのブランドの測定器をサポートする。いくつかは、複数のケーブルを使用するが、１つだけしかシリアルポートを使用しない、複数のブランドの血糖測定器をサポートする。以上のことは、その後、１つのシリアルポートを使用して、いくつかの異なるケーブルに接続するスイッチボックスデバイスを要求する。
【００１０】
患者の医師またはＨＣＰによる分析および治療を支援し、例えば、ソフトウェアを実行する際、ケーブルを切り換える際、および格納済みの測定器データをダウンロードする際に要求される時間を最小限に抑える、複数の異なるタイプの血糖測定器などの、複数の異なる測定器タイプ向けの患者データダウンロードを含むデータ管理を実施するための、改良された方法および装置の必要性が存在する。
【発明の開示】
【発明が解決しようとする課題】
【００１１】
本発明の重要な諸態様は、分析および治療を支援する複数の異なるタイプの血糖測定器などの、複数の異なる測定器タイプ向けの患者データダウンロードを実施するための新しい改良された方法および装置を提供すること、ユーザ対話の必要性を無くす、または最小限に抑える、そのような方法および装置を提供すること、および先行技術の構成のいくつかの欠点を克服する、そのような方法および装置を提供することである。
【課題を解決するための手段】
【００１２】
要するに、複数の異なるタイプの血糖測定器などの、複数の異なる測定器タイプ向けの患者データダウンロードを実施するための方法および装置が、提供される。複数の異なる測定器タイプのそれぞれの測定器に接続するようにそれぞれが適合された、複数のシリアルポートが提供される。情報が表示され、ユーザ選択が識別される。特定の測定器タイプを識別するユーザエントリに応答して、その測定器接続のための接続ポート／ケーブル番号が、ユーザによって見られるように表示される。その特定の測定器タイプに関する事前定義された指示が、表示される。
【００１３】
本発明の諸特徴によれば、データ収集コンピュータシステムが、プロセッサデバイスと、プリンタと、ディスプレイタッチスクリーンとを含む単体の筐体を含む一体型ユニットとして提供される。測定器接続が識別されると、情報が、ユーザに表示され、患者データが、測定器からデータ収集コンピュータシステムにダウンロードされて、ダウンロードされた患者データから生成された、選択されたレポートとともに、選択されたフォーマットで印刷される。
【００１４】
本発明は、以上、およびその他の目的および利点とともに、図面に示される本発明の好ましい諸実施形態の以下の詳細な説明から理解されるのが最良であろう。
【発明を実施するための最良の形態】
【００１５】
本発明の諸特徴によれば、好ましい実施形態の装置、つまりデータ収集コンピュータシステムが、タッチスクリーンと、例えば、選択された各ブランドの血糖測定器に関して１つの、それぞれの関連するケーブルをそれぞれが有する複数のシリアルポートと、ＣＰＵと、プリンタとを有する小型キオスクの形態で提供される。選択されたブランドの血糖測定器の１つを使用する患者は、ディスプレイタッチスクリーンを使用して、指示を獲得し、患者の測定器を特定のケーブルに接続し、血糖測定器内に収められたデータのプリントアウトを獲得することができる。また、患者は、タッチスクリーンを使用して、いくつかの異なる血糖測定器をどのように使用するかを学習することもできる。
【００１６】
次に図面を参照すると、図１Ａおよび図１Ｂでは、複数の異なる測定器タイプ向けの患者データダウンロードを実施するための、本発明の諸原理に従って構成された、全体として符号１００によって示される例示的なデータ収集コンピュータシステムが、示されている。データ収集コンピュータシステム１００は、コンピュータ１０４と、ディスプレイタッチスクリーン１０６と、プリンタ１０８と、オプションの無停電電源装置１１０とを含む、符号１０２によって全体的に示される筐体を含む。データ収集コンピュータシステム１００は、医療専門家（ＨＣＰ）のオフィス内に通常、配置される単体のシステムである。データ収集コンピュータシステム１００は、いずれのＨＣＰからの補助も要することなく、患者によって使用されるように構成される。
【００１７】
本発明の諸特徴によれば、データ収集コンピュータシステム１００は、測定器ケーブルスイッチボックスの使用を無くす。データ収集コンピュータシステム１００は、特定の測定器向けの各ブランド名および各ケーブルタイプに関して１つの、複数のシリアルポートを含む。ユーザは、スイッチボックスを使用する必要がなく、多数のケーブルに対処する必要もない。というのは、ケーブルは、筐体１０２内部に収容されており、特定の測定器向けの特定のケーブルタイプが容易に選択されるからである。ディスプレイタッチスクリーン１０６は、ユーザが、コンピュータがよく分からない場合でも、ユーザが、ソフトウェアと対話することを可能にする。データ収集コンピュータシステム１００は、読むことができる人はだれでも、使用できるように構成される。また、データ収集コンピュータシステム１００は、医師が、血糖測定器をダウンロードする作業の負担を医師のオフィスから取り除くことを、患者が、自らその作業を行うことができるようにすることによって可能にする。医師は、必要に応じて、新たなケーブルを追加することができ、データ収集コンピュータシステム１００は、ユーザがケーブルを差し込むこと、およびユーザがそれらのケーブルを隠すことを可能にする。また、データ収集コンピュータシステム１００は、教育的資料が、患者によって見られることも可能にして、医師および看護スタッフにかかる負担を取り除く。
【００１８】
図示されるとおり、データ収集コンピュータシステム１００は、それぞれのケーブル１１４をそれぞれが受けるための複数のポート１〜Ｎ、１１２を含む。細長いチャネル１１５が、それぞれのケーブル１１４を受けるために、複数のポート１〜Ｎ、１１２のそれぞれに結合される。特定の測定器１２０に電気接続するために、複数のケーブル１〜Ｎ、１１４のそれぞれとともに、関連するコネクタ１１８が提供される。複数のコネクタ１１８のそれぞれは、複数の測定器タイプの特定の１つに対して使用するために構成される。細長いチャネル１１５は、単体の筐体１０２内部で過度のケーブル配線を隠し、筐体側で複数のコネクタ１１８の各コネクタの接続を可能にするために提供される。
【００１９】
バイオセンサまたは血糖測定器１２０などの測定器１２０は、患者によって使用され、患者からユーザサンプルを定期的に受け取り、処理して、次に、測定された血糖（ＢＧ）レベルを格納または記録する。患者は、測定器１２０を、その測定器に接合する関連するコネクタ１１８を介して、特定のケーブル１〜Ｎ、１１４に接続する。一部の血糖測定器１２０は、データ収集コンピュータシステム１００と通信するために、オンにされなければならない。
【００２０】
やはり図１Ｂを参照すると、コンピュータ１０４が、中央処理装置（ＣＰＵ）１２２を、関連するメモリ１２４とともに含む。コンピュータ１０４は、メモリ１２４の中に常駐する、オペレーティングシステム１２６と、好ましい実施形態の測定器通信制御−ＩＤＤＩシステムプログラム１２８と、好ましい実施形態のプログラムデータ−ユーザデータ１３０とを含む。コンピュータ１０４は、ディスプレイタッチスクリーン１０６をＣＰＵ１２２に結合するユーザ／ディスプレイインタフェース１３２と、接続された測定器１２０をＣＰＵ１２２に結合するＵＳＢ−シリアルハブまたは複数シリアルポートアダプタ１３４とを含む。コンピュータ１０４は、例えば、医師のオフィス内の別のコンピュータ（図示せず）に接続するためのネットワーク通信アダプタ１３６を含む。
【００２１】
データ収集コンピュータシステム１００は、本発明を理解するために十分な簡略化された形態で示されている。図示されるコンピュータ試験システム１００は、アーキテクチャ上の制限、または機能上の制限を暗示することを意図していない。本発明は、様々なハードウェアインプリメンテーションおよびハードウェアシステム、ならびに他の様々な内部ハードウェアデバイスで使用されることが可能である。
【００２２】
測定器通信制御−ＩＤＤＩシステムプログラム１２８は、ディスプレイタッチスクリーン１０６を介して入力された、指示を求めるユーザ要求に応答して、好ましい実施形態によるコネクタ１１８を介して、ユーザの測定器を特定のケーブル１１４に接続する指示を提供するよう、データ収集コンピュータシステム１００を導く。測定器通信制御―ＩＤＤＩシステムプログラム１２８は、接続された測定器１２０を識別し、患者データをダウンロードし、患者データおよびレポートを印刷するよう、データ収集コンピュータシステム１００を導く。測定器通信制御―ＩＤＤＩシステムプログラム１２８は、自己記録された糖尿病患者データを処理し、分析し、解釈して、選択されたレポートを生成するのに必要な、自動化されたインテリジェント糖尿病データ解釈（ＩＤＤＩ）ソフトウェア機能を含む。
【００２３】
１９９３年１０月５日にカーン他に発行され、本譲受人に譲渡された米国特許第５，２５１，１２６号が、データ収集コンピュータシステム１００における測定器通信制御―ＩＤＤＩシステムプログラム１２８のＩＤＤＩソフトウェア機能の中に有利に含まれるＩＤＤＩシステムを開示する。前述の米国特許第５，２５１，１２６号の主題は、参照により本明細書に組み込まれる。
【００２４】
次に図２を参照すると、ブロック２００で始まる、本発明による患者データダウンロード方法を実施するために図１Ａおよび図１Ｂのコンピュータシステム１００によって実行される例示的なステップが、示されている。患者によって見られるためのデータ収集コンピュータシステム１００の使用に関する指示などの情報が、ブロック２０２で示されるとおり、表示される。ユーザ選択について調べることが、判定ブロック２０４で示されるとおり、実行される。ユーザ選択が識別されると、複数の異なる測定器タイプ番号１〜Ｎの特定の測定器１２０を識別するユーザエントリについて調べることが、判定ブロック２０６で示されるとおり、実行される。特定の測定器１２０を識別するユーザエントリが、識別されない場合、ユーザにプロンプトが、ブロック２０８で示されるとおり、表示される。
【００２５】
特定の測定器１２０を識別するユーザエントリが識別されると、そのユーザに接続ポート／ケーブル番号１〜Ｎが、ブロック２１０で示されるとおり、表示される。特定の測定器に関する特定の指示が、ブロック２１２で示されるとおり、表示される。接続された測定器について調べることが、判定ブロック２１４で示されるとおり、実行される。接続された測定器が識別されると、ブロック２１６で示されるとおり、ユーザに関する情報が表示され、患者データが、ダウンロードされて、その患者データから生成される事前定義されたレポートとともに、選択されたフォーマットで印刷される。ユーザによって要求された情報について調べることが、判定ブロック２１８で示されるとおり、実行される。ユーザによって要求された情報が識別されると、そのユーザ要求に応える情報、および患者によって見られるための事前定義された教育的情報資料が、ブロック２２０で示されるとおり、表示される。ユーザによって要求された情報が識別されない場合、例示的なステップは、判定ブロック２２２で示されるとおり、戻る。
【００２６】
本発明の諸特徴によれば、データ収集コンピュータシステム１００は、多くの独創的な特徴を単一の整合性のとれたユニットに自然にまとめる、独特の製品である。データ収集コンピュータシステム１００は、多くの形で、糖尿病患者と医療提供者の両方のユーザに、重要な便益をもたらす。例えば、データ収集コンピュータシステム１００は、すべての主要な測定器に対して１つのシステムという、優れた使い勝手のよさ、および医療提供者の時間節約をもたらし、ケーブルまたはスイッチボックスに煩わされることを解消する。要するに、データ収集コンピュータシステム１００は、患者データをダウンロードするための新しい改良された有効なツールである。
【００２７】
本発明は、図面に示された本発明の諸実施形態の詳細に関連して説明したが、それらの詳細は、添付の特許請求の範囲で主張される本発明の範囲を限定することを意図していない。
【図面の簡単な説明】
【００２８】
【図１Ａ】本発明による複数の異なる測定器タイプ向けの患者データダウンロードを実施するための例示的なデータ収集コンピュータシステムを示す図である。
【図１Ｂ】本発明による複数の異なる測定器タイプ向けの患者データダウンロードを実施するための、図１Ａのデータ収集コンピュータシステムを表す論理ブロック図である。
【図２】本発明による患者データダウンロード方法を実施するための、図１Ａおよび図１Ｂのデータ収集コンピュータシステムによって実行される例示的なステップを示す流れ図である。
【図１Ａ】
2007537793.tif 000003
【図１Ｂ】
2007537793.tif 000004
【図２】
2007537793.tif 000005
【国際調査報告】
2007537793.tif 000006
2007537793.tif 000007